(57)【要約】【課題】アロマミストを発生する際の騒音を効率的に低減することができるアロマミスト発生装置を提供する。【解決手段】アロマオイルをミスト化するアロマミスト発生手段２０と、アロマミストを放出するための放出開口部８と、アロマミスト発生手段２０と放出開口部８との間に設けられた消音手段６０とを備えたアロマミスト発生装置１であって、消音手段６０は、アロマミスト発生手段２０からの音を反射させる反射室６１と、反射室６１にアロマミストを導入する導入口６２と、反射室６１から放出開口部８に向けてアロマミストを放出する放出口６３とを備えており、放出口６３は、導入口６２の中心軸に対してオフセットした位置に形成されていることを特徴とする。【選択図】図４
2018034116.tif 000002
【特許請求の範囲】
【請求項１】
アロマオイルをミスト化するアロマミスト発生手段と、アロマミストを放出するための放出開口部と、前記アロマミスト発生手段と前記放出開口部との間に設けられた消音手段とを備えたアロマミスト発生装置であって、
前記消音手段は、前記アロマミスト発生手段からの音を反射させる反射室と、前記反射室に前記アロマミストを導入する導入口と、前記反射室から前記放出開口部に向けて前記アロマミストを放出する放出口とを備えており、
前記放出口は、前記導入口の中心軸に対してオフセットした位置に形成されている
ことを特徴とするアロマミスト発生装置。
【請求項２】
前記アロマミスト発生手段は、コンプレッサからの空気でアロマオイルを吸引して壁面に衝突させる直接噴射方式のミスト発生器であり、
前記コンプレッサの周囲には、防音カバーが設けられている
ことを特徴とする請求項１に記載のアロマミスト発生装置。
【発明の詳細な説明】
【技術分野】
【０００１】
本発明は、アロマミスト発生装置に関する。
【背景技術】
【０００２】
アロマオイルをミスト状にして室内に飛散させる装置としては、種々のものがあった（たとえば特許文献１参照）。特許文献１の装置は、水とアロマオイルとを所定の比率で混合させてアロマ水を生成し、アロマ水をミスト化させて複数のノズルから噴射させるものである。その他の装置としては、アロマオイルを水に混ぜずに原液のままミスト化して室内に飛散させる装置もあった。
【先行技術文献】
【特許文献】
【０００３】
【特許文献１】特開２００９−２３３５３０号公報
【発明の概要】
【発明が解決しようとする課題】
【０００４】
近年では、夜間にアロマミストを発生させてリラックスした状態で就寝する場合が増えてきている。アロマオイルをミスト化するために発生装置内の壁面に当てる音やミストを発生させるためのコンプレッサのモータ音が、就寝する際に気になってしまうことがある。しかしながら、従来は、騒音低減機能を備えたアロマミスト発生装置はないのが現状であった。
【０００５】
このような観点から、本発明は、アロマミストを発生する際の騒音を効率的に低減することができるアロマミスト発生装置を提供することを課題とする。
【課題を解決するための手段】
【０００６】
前記課題を解決するための本発明は、アロマオイルをミスト化するアロマミスト発生手段と、アロマミストを放出するための放出開口部と、前記アロマミスト発生手段と前記放出開口部との間に設けられた消音手段とを備えたアロマミスト発生装置であって、前記消音手段は、前記アロマミスト発生手段からの音を反射させる反射室と、前記反射室に前記アロマミストを導入する導入口と、前記反射室から前記放出開口部に向けて前記アロマミストを放出する放出口とを備えており、前記放出口は、前記導入口の中心軸に対してオフセットした位置に形成されていることを特徴とするアロマミスト発生装置である。
【０００７】
本発明の構成によれば、アロマミスト発生手段からの騒音は、反射室で反射して低減される。さらに、放出口は、導入口の中心軸に対してオフセットした位置に形成されているため、導入口から反射室に入った音は反射室の壁面に当たって反射することとなり、放出口から直接出難くなる。したがって、放出口から出る音量が小さくなり、騒音低減効果を高めることができる。
【０００８】
また、本発明に係るアロマミスト発生装置では、前記アロマミスト発生手段は、コンプレッサからの空気でアロマオイルを吸引して壁面に衝突させる直接噴射方式のミスト発生器であり、前記コンプレッサの周囲には、防音カバーが設けられているものが好ましい。この構成によれば、コンプレッサのモータ音も低減できるので、騒音低減効果をさらに高めることができる。
【発明の効果】
【０００９】
本発明によれば、アロマミストを発生する際の騒音を効率的に低減することができる。
【図面の簡単な説明】
【００１０】
【図１】本発明の実施形態に係るアロマミスト発生装置を示した斜視図である。
【図２】本発明の実施形態に係るアロマミスト発生装置を示した分解斜視図である。
【図３】本発明の実施形態に係るアロマミスト発生装置を下方から見上げた斜視図である。
【図４】本発明の実施形態に係るアロマミスト発生装置を示した断面図である。
【図５】本発明の実施形態に係るアロマミスト発生装置の防音カバーを示した分解断面図である。
【図６】本発明の実施形態に係るアロマミスト発生装置の防音カバーおよび緩衝材を示した分解斜視図である。
【図７】本発明の実施形態に係るアロマミスト発生装置の消音手段を示した分解断面図である。
【図８】本発明の実施形態に係るアロマミスト発生装置の消音手段を示した分解斜視図である。
【図９】（ａ）は消音手段の下部ケーシングを示した平面図、（ｂ）は消音手段の上部ケーシングを示した底面図である。
【発明を実施するための形態】
【００１１】
以下、本発明の実施形態に係るアロマミスト発生装置を、添付した図面を参照しながら説明する。図１および図２に示すように、アロマミスト発生装置１は、二体を１セットとして、充電器２上に設置される。アロマミスト発生装置１は、それぞれ単体で使用でき、持ち運び可能となっている。アロマミスト発生装置１は、充電器２上に設置した状態でも使用できるし、持ち運んで別の場所でも使用できる。アロマミスト発生装置１は、二体合わせて平面視楕円形状を呈しており、左右対称となっている。各アロマミスト発生装置１には、異なるアロマオイルが使用される。
【００１２】
図１乃至図３に示すように、アロマミスト発生装置１の外殻は、上面部３と側面部４と底面部５とを備えている。上面部３は、平面視楕円形状を二分割した形状を呈している。本実施形態の楕円は、一方が窄まった卵形状である。
【００１３】
上面部３の周縁部６は、直線部６ａと曲線部６ｂとからなる。上面部３には、アロマミスト発生装置１のオンオフを行うスイッチ７と、アロマミストを放出するための放出開口部８が設けられている。
【００１４】
側面部４は、平面部９ａと曲面部９ｂとからなる。平面部９ａは、上面部３の直線部６ａに繋がる部分であって、隣り合うアロマミスト発生装置１の平面部９ａと対向する。側面部４は下側の一部が切り欠かれており、アロマオイルのボトル１０（図３参照）が取り付けられるボトル取付空間１１が形成されている。ボトル取付空間１１の上面部１２にボトル１０が螺合されている。上面部１２には、ボトル１０を覆う有底筒状のボトルカバー１３が嵌合される筒状凸部１２ａが形成されている。ボトル１０のネック部は筒状凸部１２ａの内側に挿入される。
【００１５】
底面部５は、上面部３の形状からボトル取付空間１１を除いた形状を呈している。底面部５には、充電用の接続端子１４と複数のすべり止めシール１５，１５・・が設けられている。
【００１６】
充電器２は、二体のアロマミスト発生装置１，１の外周縁を囲う周縁部を備えており、接続端子１４に応じた位置に、充電端子１６がそれぞれ設けられている。充電端子１６は、接続端子１４に噛み合う。充電器２の裏面からは、コンセントに繋がる電源コード（図示せず）が延在している。
【００１７】
次に、アロマミスト発生装置１の内部構造を説明する。図４に示すように、アロマミスト発生装置１は、アロマミスト発生手段２０と消音手段６０とを備えている。
【００１８】
アロマミスト発生手段２０は、アロマオイルをミスト化する部分である。アロマミスト発生手段２０は、コンプレッサ２２からの空気でアロマオイルを吸引して壁面に衝突させる直接噴射方式のミスト発生器である。アロマミスト発生装置１は、ミスト発生部２１とコンプレッサ２２とバッテリ２３とを備えている。
【００１９】
ミスト発生部２１は、ミスト発生室２６と、ベンチュリー管２７と、ミスト分離室２８とを備えている。ミスト発生室２６は、ボトル取付空間１１の上部に配置された筒部材２９にて区画されている。筒部材２９は上下が開放されている。筒部材２９の下端部には、ボトル１０のオネジ１０ａが螺合するメネジ２９ａが形成されている。筒部材２９の内部とボトル１０の内部は連通している。
【００２０】
ベンチュリー管２７は、筒部材２９の側面を貫通して設けられている。ベンチュリー管２７の外側端部には、コンプレッサ２２に繋がる接続チューブ３０が連結されている。ベンチュリー管２７の空気流路３１の絞り部３１ａには、オイル吸引流路３２が開口している。オイル吸引流路３２には、ボトル１０の底部まで延在する吸引チューブ３３が取り付けられている。ベンチュリー管２７では、空気流路３１に流された空気の流速が、絞り部３１ａで増加して、低圧を発生させることでアロマオイルを吸い上げている。吸い上げられたアロマオイルは、ミスト発生室２６内に噴き出されてミスト化される。ベンチュリー管２７から吹き出されたアロマミスト（以下「ミスト」という）は、ミスト発生室２６の内壁面に衝突し、ここで粒径が大きいミストは、液化して落下し、ボトル内に戻される。また、内壁面では、アロマミストと一緒に噴き出されたアロマオイルが衝突することで飛散してミスト化も為される。
【００２１】
ミスト分離室２８は、ミスト発生室２６の上部に連通している。ミスト発生室２６から流されたミストは、ミスト分離室２８内で対流し、粒径が大きいミストは落下し、粒径が小さいミストは上昇する。ミスト分離室２８内には仕切板３４が形成されており、分離効果を高めている。ミスト分離室２８の上部には、上昇したミストの出口となるミスト出口３５が設けられている。
【００２２】
コンプレッサ２２は、ミスト発生部２１に圧縮空気を送る部位であって、モータ４０とフィン部４１とを備えている。フィン部４１には、接続チューブ３０が連結されている。モータ４０の底部には、スイッチ基盤２４に繋がる電線４２が接続されている。
【００２３】
コンプレッサ２２の周囲には、防音カバー４３が設けられている。防音カバー４３は、コンプレッサ２２を囲うことで、モータ音やフィンの回転音の音漏れを低減させる。防音カバー４３は、ポリプロピレン等の樹脂からなる。図５および図６に示すように、防音カバー４３は、有底筒状の下部カバー４４と、有蓋筒状の上部カバー４５とを備えている。下部カバー４４の上端部と上部カバー４５の下端部には、鍔部４４ａ，４５ａがそれぞれ形成されており、鍔部４４ａ，４５ａ同士がネジ（図示せず）を介して連結されている。下部カバー４４の底部には、電線４２が挿通する貫通孔４６が形成されている。上部カバー４５の頂部には、接続チューブ３０が挿通する貫通孔４７が形成されている。
【００２４】
下部カバー４４の上面には、リング状の突条４８が形成されている。上部カバー４５の下面には、リング状の凹溝４９が形成されている。凹溝４９は、突条４８に噛み合う形状になっている。突条４８と凹溝４９が噛み合うことで、下部カバー４４と上部カバー４５との接続面からの音漏れを低減している。突条４８の側部には、外側に突出する凸部４８ａが形成されている。凹溝４９の側部には、外側にへこむ凹部４９ａが形成されている。凹部４９ａは、凸部４８ａと噛み合う形状になっている。凸部４８ａと凹部４９ａが噛み合うことで、下部カバー４４と上部カバー４５との位置決めが成されている。
【００２５】
図４に示すように、モータ４０と防音カバー４３の隙間とフィン部４１と防音カバー４３の隙間には、緩衝材５０がそれぞれ設けられている。緩衝材５０は、ポリウレタンフォーム等の弾性部材からなる。緩衝材５０は、周縁部５１と凸部５２とを備えている。周縁部５１は、円周方向の一部が切り欠かれた円弧形状を呈しており、装着が容易になっている。凸部５２は、周縁部５１の内周面に接着されて、中心側に突出している。凸部５２は、二つ設けられており、互いに対向する位置に設けられている。モータ４０に装着される緩衝材５０の凸部５２は、モータ４０の底面に当接して、その底面に両面テープ等で貼り付けられている。フィン部４１に装着される緩衝材５０の凸部５２は、フィン部４１の上面に当接して、その上面に両面テープ等で貼り付けられている。
【００２６】
バッテリ２３は、モータ４０を作動させる電力を蓄電するものである。バッテリ２３は、コンプレッサ２２に隣り合って配置されている。バッテリ２３の頂部には、スイッチ基盤２４に繋がる電線５５が接続されている。一方、スイッチ基盤２４には、充電基盤２５に繋がる電線５６が接続されており、充電端子１６から、電線５５，５６を介して、バッテリ２３が充電される。モータ４０を作動させる電力は、バッテリ２３の電力に限定されるものではなく、コンセントからの電力も使用可能である。アロマミスト発生装置１の外殻の側面部４の平面部９ａには、コンセントに繋がる電源コードの接続端子の接続口１７が形成されている（図２および図３参照）。接続口１７の内部には、モータ４０に繋がる電線の接続部(図示せず)が設けられている。
【００２７】
消音手段６０は、アロマミスト発生手段２０と放出開口部８との間に設けられ、アロマミスト発生手段２０で発生した音を低減させる部位である。図７乃至図９にも示すように、アロマミスト発生手段２０からの音を反射させる反射室６１と、反射室６１にミストを導入する導入口６２と、反射室６１から放出開口部８に向けてミストを放出する放出口６３とを備えている。
【００２８】
反射室６１は、有底筒状の下部ケーシング６４と、有蓋筒状の上部ケーシング６５とで区画されている。下部ケーシング６４と上部ケーシング６５は、ポリプロピレン等の樹脂からなる。下部ケーシング６４の上端部には、鍔部６４ａが形成され、上部ケーシング６５の下端部には、鍔部６５ａが形成されている。鍔部６４ａ，６５ａ同士がネジ（図示せず）を介して連結されている。さらに、鍔部６４ａ，６５ａ同士は、超音波溶着されており、反射室６１の密閉性能を高めている。なお、鍔部６４ａ，６５ａ同士の固定は、超音波溶着に限定されるものではなく、接着剤などでもよい。
【００２９】
下部ケーシング６４の底部には、導入口６２が形成されている。導入口６２は、底部の中心から外周縁寄りにオフセットした位置に形成されている。導入口６２は、下方に延在する筒体にて区画されている。筒体は、ミスト分離室２８の上部のミスト出口３５に嵌め込まれている。上部ケーシング６５の頂部には、放出口６３が形成されている。放出口６３は、頂部の中心から外周縁寄りにずれるとともに、導入口６２の中心軸に対してオフセットした位置に形成されている。具体的には、導入口６２と放出口６３とは、底部の中心を挟んだ対象位置に形成されている。放出口６３は、上方に延在する筒体にて区画されている。筒体の上端部は、放出開口部８に嵌め込まれている。
【００３０】
下部ケーシング６４の上面には、リング状の突条６６が形成されている。上部ケーシング６５の下面には、リング状の凹溝６７が形成されている。凹溝６７は、突条６６に噛み合う形状になっている。突条６６と凹溝６７が噛み合うことで、下部ケーシング６４と上部ケーシング６５との接続面からの音漏れを低減している。さらに、突条６６の先端面には、断面三角形の第二突条６８が形成されている。第二突条６８は、凹溝６７の平面状の底面部に押し付けられることで、密着性を高め、音漏れをさらに低減している。
【００３１】
突条６６の側部には、外側に突出する凸部６６ａ（図８および図９参照）が形成されている。凹溝６７の側部には、外側にへこむ凹部６７ａ（図９参照）が形成されている。凹部６７ａは、凸部６６ａと噛み合う形状になっている。凸部６６ａと凹部６７ａが噛み合うことで、下部ケーシング６４と上部ケーシング６５との位置決めが成されている。
【００３２】
前記構成のアロマミスト発生装置１によれば、アロマミスト発生手段２０からの騒音は、ミストとともに導入口６２から反射室６１に導入される。騒音は、反射室６１の内壁で反射・共鳴させることで効率的に低減される。
【００３３】
ここで、放出口６３が、導入口６２の中心軸に対してオフセットした位置に形成されているため、導入口６２から反射室６１に入った音は反射室６１の内壁に当たって反射することとなり、放出口６３から直接出難くなる。つまり、放出口６３から出る音は、反射・共鳴して低減された後の音であるので、放出口６３から出る音量が小さくなり、騒音低減効果を高めることができる。
【００３４】
また、本発明に係るアロマミスト発生装置１では、コンプレッサ２２の周囲には、防音カバー４３が設けられているので、コンプレッサ２２のモータ音も低減できる。さらに、コンプレッサ２２の周囲には緩衝材５０が設けられているので、モータ音をより一層低減できる。したがって、アロマミスト発生装置１全体での騒音低減効果をさらに高めることができる。
【００３５】
以上のように騒音が低減されたアロマミスト発生装置１は、就寝時に置いても騒音を気にすることなく使用することができる。また、本実施形態に係るアロマミスト発生装置１は、充電式であるので電源コード等を用いず使用することができる。したがって、アロマミスト発生装置１の使用場所が制限されない。さらに、二つのアロマミスト発生装置１をセットにしているので、アロマオイルの種類を変えることで、たとえば昼と夜とで異なるアロマミストを楽しむことができる。
【００３６】
以上、本発明を実施するための形態について説明したが、本発明は前記実施の形態に限定する趣旨ではなく、本発明の趣旨を逸脱しない範囲で適宜設計変更が可能である。たとえば、なお、アロマミスト発生装置１の外殻の形状は、一例であって、前記構成に限定されるものではない。
【００３７】
また、アロマミスト発生装置１は、二体で１セットに限定されるものではなく、単体であってもよい。さらに、充電式に限定されるものではなく、コンセントに電線を繋いでもよいし、電池式であってもよい。
【００３８】
さらに、前記実施形態では、防音カバー４３と消音手段６０は、ポリプロピレン等の樹脂にて構成されているが、これに限定されるものではない。たとえば、防音カバー４３と消音手段６０をガラス等の樹脂以外の材質にて構成してもよい。この場合、反射室６１の下部ケーシング６４と上部ケーシング６５との固着は、超音波溶着ではなく、接着剤等を用いて行う。
【符号の説明】
【００３９】
１      アロマミスト発生装置
８      放出開口部
２０    アロマミスト発生手段
２２    コンプレッサ
４０    モータ
６０    消音手段
６１    反射室
６２    導入口
６３    放出口
【図１】
2018034116.tif 000003
【図２】
2018034116.tif 000004
【図３】
2018034116.tif 000005
【図４】
2018034116.tif 000006
【図５】
2018034116.tif 000007
【図６】
2018034116.tif 000008
【図７】
2018034116.tif 000009
【図８】
2018034116.tif 000010
【図９】
2018034116.tif 000011